(57)【特許請求の範囲】
【請求項１】
少なくとも１つの物品を保持するための構造体であって、
前記構造体の内部を少なくとも部分的に取り巻いて広がり、前記構造体の隅部を少なくとも部分的に形成する複数のパネルであって、該複数のパネルは、側部パネル及び端部パネルを含む、複数のパネルと、
前記構造体を別個の構造体と少なくとも部分的に相互係止するための係止構造部であって、該係止構造部は、少なくとも係止タブと係合開口部とを含み、前記係止タブは、前記側部パネルから延在し、前記係止タブは、前記構造体の前記隅部において前記係合開口部に近接する、係止構造部と、
折り線に沿って前記側部パネルに折り曲げ可能に接続される端部フラップであって、前記端部パネルは、該端部フラップに少なくとも部分的に重なり合い、前記折り線は、前記隅部に沿って延在し、前記側部パネルの端縁部は、前記端部フラップから前記係止タブまで延在し、前記係合開口部は、前記側部パネル及び前記端部フラップ内で広がると共に、前記折り線を遮る、端部フラップと、
を備えることを特徴とする構造体。
【請求項２】
前記構造体の前記隅部は、前記側部パネル及び前記端部フラップによって少なくとも部分的に画定される、請求項１に記載の構造体。
【請求項３】
前記係止タブは、前記隅部において前記側部パネルの縁部から延在し、前記係合開口部は、前記隅部に隣接する前記端部フラップ内で広がる、請求項２に記載の構造体。
【請求項４】
前記隅部は第１の隅部であり、前記側部パネルは第１の側部パネルであり、前記端部フラップは第１の端部フラップであり、前記複数のパネルは、第２の側部パネルをさらに含み、前記第２の側部パネルには、第２の端部フラップが折り曲げ可能に接続され、前記端部パネル及び前記第２の端部フラップは、互いに少なくとも部分的に重なり合い、前記第２の側部パネル及び前記第２の端部フラップは、前記構造体の第２の隅部を少なくとも部分的に画定する、請求項２に記載の構造体。
【請求項５】
前記係止タブは第１の係止タブであり、前記係合開口部は第１の係合開口部であり、前記係止構造部は、第２の係止タブと第２の係合開口部とをさらに含み、前記第２の係止タブは、前記構造体の前記第２の隅部において前記第２の係合開口部に近接する、請求項４に記載の構造体。
【請求項６】
前記第１の係止タブ及び前記第２の係止タブの各々は、前記それぞれの第１の隅部及び第２の隅部において前記それぞれの第１の側部パネル及び第２の側部パネルのそれぞれの縁部から延在し、前記第１の係合開口部及び前記第２の係合開口部の各々は、前記それぞれの第１の隅部及び第２の隅部に隣接する前記それぞれの第１の端部フラップ及び第２の端部フラップ内で広がる、請求項５の記載の構造体。
【請求項７】
前記端部パネルは第１の端部パネルであり、前記複数のパネルは、前記第１の端部パネルに対向して配置された第２の端部パネルを含み、
前記第１の側部パネルには、第３の端部フラップが折り曲げ可能に接続され、前記第２の側部パネルには、第４の端部フラップが折り曲げ可能に接続され、前記第２の端部パネルは、前記第３の端部フラップ及び前記第４の端部フラップの各々とそれぞれ互いに少なくとも部分的に重なり合い、
前記第１の側部パネル及び前記第３の端部フラップは、前記構造体の第３の隅部を少なくとも部分的に画定し、前記第２の側部パネル及び前記第４の端部フラップは、前記構造体の第４の隅部を少なくとも部分的に画定し、
前記係止構造部は、第３の係止タブと、第３の係合開口部と、第４の係止タブと、第４の係合開口部とをさらに含み、前記第３の係止タブは、前記構造体の前記第３の隅部において前記第３の係合開口部に近接し、前記第４の係止タブは、前記構造体の前記第４の隅部において、前記第４の係合開口部に近接する、請求項５に記載の構造体。
【請求項８】
前記側部パネルは、頂縁部及び前記端縁部を含み、前記係止タブは、前記頂縁部に隣接する前記端縁部から外向きに延在する、請求項１に記載の構造体。
【請求項９】
前記端縁部は、前記構造体の前記隅部において延び、前記頂縁部は、前記隅部から離れて延びる、請求項８に記載の構造体。
【請求項１０】
前記係止タブは、前記側部パネルの前記端縁部から延びる係止縁部を含む、請求項８に記載の構造体。
【請求項１１】
前記係止タブは、前記構造体の前記隅部において前記側部パネルから延在し、前記端部パネルは、前記構造体の前記隅部に隣接して延びる隅部縁部を含み、前記係止構造部は、前記端部パネルの前記隅部縁部における係合ノッチをさらに含む、請求項１に記載の構造体。
【請求項１２】
前記端部パネル及び前記端部フラップは、互いに少なくとも部分的に重なり合い、前記係合開口部は、前記隅部に隣接する前記端部フラップ内で広がり、前記係合開口部は、係合縁部を含み、前記係合ノッチは、前記係合開口部の前記係合縁部と概ね整列する、請求項１１に記載の構造体。
【請求項１３】
前記係止タブは、前記隅部において前記側部パネルから延在し、前記係合開口部は、前記隅部に隣接する前記端部フラップ内で広がる、請求項１に記載の構造体。
【請求項１４】
前記側部パネルは、前記構造体の前記隅部における前記端縁部を含み、前記係止タブは、前記端縁部から外向きに延在し、前記係止タブは、前記端縁部によって前記端部フラップから離間している、請求項１３に記載の構造体。
【請求項１５】
少なくとも１つの物品を保持するためのパッケージであって、
前記パッケージのトレイを形成する第１の構造体と、
前記パッケージの蓋を形成する第２の構造体と、
を含み、
前記トレイは、前記パッケージの内部を少なくとも部分的に取り巻いて広がる複数のトレイパネルと、トレイ係止タブと、トレイ係合開口部とを含み、前記複数のトレイパネルは、トレイ側部パネル及びトレイ端部パネルを含むと共に、少なくとも部分的にトレイ隅部を形成し、前記トレイ係止タブは、前記トレイ隅部において前記トレイ側部パネルから延在し、前記トレイ係合開口部は、前記トレイ隅部において広がり、前記トレイは、トレイ折り線に沿って前記トレイ側部パネルに折り曲げ可能に接続されるトレイ端部フラップを含み、前記トレイ折り線は、前記トレイ隅部に沿って延在し、前記トレイ係合開口部は、前記トレイ折り線を遮り、
前記蓋は、前記パッケージの内部を少なくとも部分的に取り巻いて広がる複数の蓋パネルと、蓋係止タブと、蓋係合開口部とを含み、前記複数の蓋パネルは、蓋側部パネル及び蓋端部パネルを含むと共に、少なくとも部分的に蓋隅部を形成し、前記蓋係止タブは、前記蓋隅部において前記蓋側部パネルから延在し、前記蓋係合開口部は、前記蓋隅部において広がり、前記蓋は、蓋折り線に沿って前記蓋側部パネルに折り曲げ可能に接続される蓋端部フラップを含み、前記蓋折り線は、前記蓋隅部に沿って延在し、前記蓋係合開口部は、前記蓋折り線を遮り、
前記蓋係止タブ及び前記蓋係合開口部は、前記それぞれのトレイ係合開口部及びトレイ係止タブに選択的に係合して、前記トレイと前記蓋とを少なくとも部分的に相互係止することを特徴とするパッケージ。
【請求項１６】
前記第１の構造体及び前記第２の構造体は、互いに実質的に同一である、請求項１５に記載のパッケージ。
【請求項１７】
前記第１の構造体及び前記第２の構造体は、実質的に同一の構造体のスタックから選択される、請求項１６に記載のパッケージ。
【請求項１８】
前記トレイ係止タブは、前記トレイ隅部において前記トレイ側部パネルから外向きに延在し、前記蓋係止タブは、前記蓋隅部において前記蓋側部パネルから外向きに延在する、請求項１５に記載のパッケージ。
【請求項１９】
前記トレイ係合開口部及び前記蓋係合開口部は、前記それぞれのトレイ隅部及び蓋隅部において前記それぞれのトレイ端部フラップ及び蓋端部フラップ内で広がる、請求項１８に記載のパッケージ。
【請求項２０】
前記トレイ端部パネル及び前記トレイ端部フラップは、前記パッケージの端部において互いに少なくとも部分的に重なり合い、前記蓋端部パネル及び前記蓋端部フラップは、前記パッケージの前記端部において互いに少なくとも部分的に重なり合い、前記トレイ端部パネル及び前記蓋端部パネルの各々は、前記それぞれのトレイ端部フラップ及び蓋端部フラップにおいて前記それぞれのトレイ係合開口部及び蓋係合開口部と少なくとも部分的に整列するそれぞれの係合ノッチを含む、請求項１９に記載のパッケージ。
【請求項２１】
前記トレイ係止タブ及び前記蓋係止タブは、前記それぞれのトレイ側部パネル及び蓋側部パネルのそれぞれの端縁部から延在し、該端縁部は、前記それぞれのトレイ折り線及び蓋折り線から概ね上向きに延びる、請求項１８に記載のパッケージ。
【請求項２２】
前記トレイ側部パネル及び前記蓋側部パネルは、それぞれの頂縁部を含み、前記トレイ係止タブ及び前記蓋係止タブは、前記それぞれのトレイ側部パネル及び蓋側部パネルの前記それぞれの頂縁部に隣接して延在する、請求項２１に記載のパッケージ。
【請求項２３】
前記トレイ端部パネル及び前記蓋端部パネルは、前記それぞれのトレイ隅部及び蓋隅部においてそれぞれのトレイ係合ノッチ及び蓋係合ノッチを含み、前記トレイ係止タブ及び前記蓋係止タブは、前記それぞれの蓋係合ノッチ及びトレイ係合ノッチに選択的に係合して、前記トレイと前記蓋とを少なくとも部分的に相互係止する、請求項１５に記載のパッケージ。
【請求項２４】
前記トレイ隅部は第１のトレイ隅部であり、前記トレイ係止タブは第１のトレイ係止タブであり、前記トレイ係合開口部は第１のトレイ係合開口部であり、前記蓋隅部は第１の蓋隅部であり、前記蓋係止タブは第１の蓋係止タブであり、前記蓋係合開口部は第１の蓋係合開口部であり、
前記複数のトレイパネルは、少なくとも部分的に第２のトレイ隅部を形成し、前記トレイは、第２のトレイ係止タブと第２のトレイ係合開口部とをさらに含み、該第２のトレイ係止タブ及び該第２のトレイ係合開口部は、前記第２のトレイ隅部において延び、
前記複数の蓋パネルは、少なくとも部分的に第２の蓋隅部を形成し、前記蓋は、第２の蓋係止タブと第２の蓋係合開口部とをさらに含み、該第２の蓋係止タブ及び該第２の蓋係合開口部は、前記第２の蓋隅部において延び、
前記第２の蓋係止タブ及び前記第２の蓋係合開口部は、前記それぞれの第２のトレイ係合開口部及び第２のトレイ係止タブに選択的に係合して、前記トレイと前記蓋とを少なくとも部分的に相互係止する、請求項１５に記載のパッケージ。
【請求項２５】
前記トレイ側部パネルは、第１のトレイ側部パネルであり、前記複数のトレイパネルは、第２のトレイ側部パネルを含み、前記第１のトレイ係止タブは、前記第１のトレイ隅部において前記第１のトレイ側部パネルから外向きに延在し、前記第２のトレイ係止タブは、前記第２のトレイ隅部において前記第２のトレイ側部パネルから外向きに延在し、
前記蓋側部パネルは、第１の蓋側部パネルであり、前記複数の蓋パネルは、第２の蓋側部パネルを含み、前記第１の蓋係止タブは、前記第１の蓋隅部において前記第１の蓋側部パネルから外向きに延在し、前記第２の蓋係止タブは、前記第２の蓋隅部において前記第２の蓋側部パネルから外向きに延在する、請求項２４に記載のパッケージ。
【請求項２６】
前記トレイ端部フラップは、第１のトレイ端部フラップであり、前記第２のトレイ側部パネルには、前記第２のトレイ隅部において第２のトレイ端部フラップが折り曲げ可能に接続され、前記第１のトレイ係合開口部及び前記第２のトレイ係合開口部は、前記それぞれの第１のトレイ隅部及び前記第２のトレイ隅部において前記それぞれの第１のトレイ端部フラップ及び第２のトレイ端部フラップ内で広がり、
前記蓋端部フラップは、第１の蓋端部フラップであり、前記第２の蓋側部パネルには、前記第２の蓋隅部において第２の蓋端部フラップが折り曲げ可能に接続され、前記第１の蓋係合開口部及び前記第２の蓋係合開口部は、前記それぞれの第１の蓋隅部及び第２の蓋隅部において前記それぞれの第１の蓋端部フラップ及び第２の蓋端部フラップ内で広がる、請求項２５に記載のパッケージ。
【請求項２７】
前記トレイ端部パネルは、前記第１のトレイ端部フラップ及び前記第２のトレイ端部フラップと少なくとも部分的に重なり合い、前記蓋端部パネルは、前記第１の蓋端部フラップ及び前記第２の蓋端部フラップと少なくとも部分的に重なり合う、請求項２６に記載のパッケージ。
【請求項２８】
前記トレイ端部パネルは、前記第１のトレイ隅部から前記第２のトレイ隅部へ延び、前記蓋端部パネルは、前記第１の蓋隅部から前記第２の蓋隅部へ延びる、請求項２５に記載のパッケージ。
【請求項２９】
前記トレイ側部パネルは、前記第１のトレイ隅部から前記第２のトレイ隅部へ延び、前記第１のトレイ係止タブ及び前記第２のトレイ係止タブは、前記それぞれの第１のトレイ隅部及び第２のトレイ隅部において前記トレイ側部パネルのそれぞれの端部から延在し、
前記蓋側部パネルは、前記第１の蓋隅部から前記第２の蓋隅部へ延び、前記第１の蓋係止タブ及び前記第２の蓋係止タブは、前記それぞれの第１の蓋隅部及び第２の蓋隅部において前記蓋側部パネルのそれぞれの端部から延在する、請求項２４に記載のパッケージ。
【請求項３０】
前記トレイ端部フラップは、第１のトレイ端部フラップであり、前記トレイ側部パネルの前記それぞれの端部には、前記それぞれの第１のトレイ隅部及び第２のトレイ隅部において前記第１のトレイ端部フラップ及び第２のトレイ端部フラップが折り曲げ可能に接続され、前記第１のトレイ係合開口部及び前記第２のトレイ係合開口部は、前記それぞれの第１のトレイ隅部及び第２のトレイ隅部において前記それぞれの第１のトレイ端部フラップ及び第２のトレイ端部フラップ内で広がり、
前記蓋端部フラップは、第１の蓋端部フラップであり、前記蓋側部パネルの前記それぞれの端部には、前記それぞれの第１の蓋隅部及び第２の蓋隅部において前記第１の蓋端部フラップ及び第２の蓋端部フラップが折り曲げ可能に接続され、前記第１の蓋係合開口部及び前記第２の蓋係合開口部は、前記それぞれの第１の蓋隅部及び第２の蓋隅部において前記それぞれの第１の蓋端部フラップ及び前記第２の蓋端部フラップ内で広がる、請求項２９に記載のパッケージ。
【請求項３１】
前記トレイ端部パネルは、第１のトレイ端部パネルであり、前記複数のトレイパネルは、第２のトレイ端部パネルをさらに含み、前記第１のトレイ端部フラップ及び前記第１のトレイ端部パネルは、前記パッケージの第１の端部において互いに少なくとも部分的に重なり合い、前記第２のトレイ端部フラップ及び前記第２のトレイ端部パネルは、前記パッケージの第２の端部において互いに少なくとも部分的に重なり合い、
前記蓋端部パネルは、第１の蓋端部パネルであり、前記複数の蓋パネルは、第２の蓋端部パネルをさらに含み、前記第１の蓋端部フラップ及び前記第１の蓋端部パネルは、前記パッケージの前記第１の端部において互いに少なくとも部分的に重なり合い、前記第２の蓋端部フラップ及び前記第２の蓋端部パネルは、前記パッケージの前記第２の端部で互いに少なくとも部分的に重なり合う、請求項３０に記載のパッケージ。
【請求項３２】
前記第１のトレイ隅部、前記第２のトレイ隅部、前記第１の蓋隅部及び前記第２の蓋隅部の各々は、前記パッケージの第１の端部に配置され、
前記複数のトレイパネルは、前記パッケージの第２の端部にそれぞれ配置された第３のトレイ隅部及び第４のトレイ隅部を少なくとも部分的に形成し、前記トレイは、第３のトレイ係止タブ、第３のトレイ係合開口部、第４のトレイ係止タブ及び第４のトレイ係合開口部をさらに含み、前記第３のトレイ係止タブ及び前記第３のトレイ係合開口部は、前記第３のトレイ隅部において延び、前記第４のトレイ係止タブ及び前記第４のトレイ係合開口部は、前記第４のトレイ隅部において延び、
前記複数の蓋パネルは、前記パッケージの前記第２の端部にそれぞれ配置された第３の蓋隅部及び第４の蓋隅部を少なくとも部分的に形成し、前記蓋は、第３の蓋係止タブ、第３の蓋係合開口部、第４の蓋係止タブ及び第４の蓋係合開口部をさらに含み、前記第３の蓋係止タブ及び前記第３の蓋係合開口部は、前記第３の蓋隅部において延び、前記第４の蓋係止タブ及び前記第４の蓋係合開口部は、前記第４の蓋隅部において延び、
前記第３の蓋係止タブ、前記第３の蓋係合開口部、前記第４の蓋係止タブ及び前記第４の蓋係合開口部は、前記それぞれの第３のトレイ係合開口部、第３のトレイ係止タブ、第４のトレイ係合開口部及び第４のトレイ係止タブに選択的に係合して、前記トレイと前記蓋とを少なくとも部分的に相互係止する、請求項２４に記載のパッケージ。
【請求項３３】
前記蓋係止タブ及び前記蓋係合開口部の一方は、前記それぞれのトレイ係合開口部及びトレイ係止タブに少なくとも部分的に係合して、前記トレイと前記蓋とを少なくとも部分的に相互係止する、請求項１５に記載のパッケージ。
【請求項３４】
少なくとも１つの物品を保持するための構造体を形成するためのブランクであって、
前記ブランクから形成される前記構造体の内部を少なくとも部分的に取り巻いて配置されて、前記ブランクから形成される前記構造体の隅部を少なくとも部分的に形成する複数のパネルであって、該複数のパネルは、側部パネル及び端部パネルを含む、複数のパネルと、
前記ブランクから形成される前記構造体を別個の構造体と少なくとも部分的に相互係止する、少なくとも係止タブと係合開口部とを含む係止構造部であって、前記係止タブは、前記側部パネルから延在し、前記係止タブは、前記ブランクから前記構造体を形成した時に前記隅部において前記係合開口部に近接する、係止構造部と、
折り線に沿って前記側部パネルに折り曲げ可能に接続される端部フラップであって、前記端部パネルは、前記ブランクから前記構造体を形成した時に該端部フラップに少なくとも部分的に重なり合い、前記折り線は、前記ブランクから前記構造体を形成した時に前記隅部に沿って延在し、前記側部パネルの端縁部は、前記端部フラップから前記係止タブまで延在し、前記係合開口部は、前記側部パネル及び前記端部フラップ内で広がると共に、前記折り線を遮る、端部フラップと、
を備えることを特徴とするブランク。
【請求項３５】
前記構造体の前記隅部は、前記ブランクから前記構造体を形成した時に前記側部パネル及び前記端部フラップによって少なくとも部分的に画定される、請求項３４に記載のブランク。
【請求項３６】
前記係止タブは、前記側部パネルの縁部から延在し、前記ブランクから前記構造体を形成した時に、前記係止タブは、前記隅部において前記側部パネルの前記縁部から延在し、前記係合開口部は、前記隅部に隣接して延びる、請求項３５に記載のブランク。
【請求項３７】
前記隅部は第１の隅部であり、前記側部パネルは第１の側部パネルであり、前記端部フラップは第１の端部フラップであり、前記複数のパネルは、第２の側部パネルをさらに含み、前記第２の側部パネルには、第２の端部フラップが折り曲げ可能に接続され、前記端部パネル及び前記第２の端部フラップは、互いに少なくとも部分的に重なり合い、前記第２の側部パネル及び前記第２の端部フラップは、前記ブランクから形成される前記構造体の第２の隅部を少なくとも部分的に画定する、請求項３５に記載のブランク。
【請求項３８】
前記係止タブは第１の係止タブであり、前記係合開口部は第１の係合開口部であり、前記係止構造部は、第２の係止タブと第２の係合開口部とをさらに含み、前記第２の係止タブは、前記ブランクから前記構造体を形成した時に前記構造体の前記第２の隅部において前記第２の係合開口部に近接する、請求項３７に記載のブランク。
【請求項３９】
前記端部パネルは第１の端部パネルであり、前記複数のパネルは、前記ブランクから前記構造体を形成した時に前記第１の端部パネルに対向して配置される第２の端部パネルを含み、
前記第１の側部パネルには、第３の端部フラップが折り曲げ可能に接続され、前記第２の側部パネルには、第４の端部フラップが折り曲げ可能に接続され、前記第２の端部パネルは、前記ブランクから前記構造体を形成した時に前記第３の端部フラップ及び前記第４の端部フラップの各々とそれぞれ互いに少なくとも部分的に重なり合い、
前記第１の側部パネル及び前記第３の端部フラップは、前記ブランクから形成される前記構造体の第３の隅部を少なくとも部分的に画定し、前記第２の側部パネル及び前記第４の端部フラップは、前記ブランクから形成される前記構造体の第４の隅部を少なくとも部分的に画定し、
前記係止構造部は、第３の係止タブと、第３の係合開口部と、第４の係止タブと、第４の係合開口部とをさらに含み、前記第３の係止タブは、前記ブランクから前記構造体を形成した時に前記第３の隅部において前記第３の係合開口部に近接して延在し、前記第４の係止タブは、前記ブランクから前記構造体を形成した時に前記第４の隅部において前記第４の係合開口部に近接して延在する、請求項３８に記載のブランク。
【請求項４０】
前記側部パネルは、頂縁部を含み、前記係止タブは、前記側部パネルの前記頂縁部に隣接する前記側部パネルの前記端縁部から外向きに延在する、請求項３４に記載のブランク。
【請求項４１】
前記端縁部は、前記ブランクから形成される前記構造体の前記隅部において延び、前記頂縁部は、前記ブランクから前記構造体を形成した時に前記隅部から離れて延びる、請求項４０に記載のブランク。
【請求項４２】
前記係止タブは、前記側部パネルの前記端縁部から延びる係止縁部を含む、請求項４０に記載のブランク。
【請求項４３】
前記係止タブは、前記側部パネルから延在し、前記端部パネルは、隅部縁部を含み、前記隅部縁部は、前記ブランクから前記構造体を形成した時に前記隅部に隣接して延び、前記係止構造部は、前記端部パネルの前記隅部縁部における係合ノッチをさらに含む、請求項３４に記載のブランク。
【請求項４４】
前記係合開口部は、前記端部フラップ内で広がり、前記係合開口部は、係合縁部を含み、前記係合ノッチは、前記ブランクから前記構造体を形成した時に前記係合開口部の前記係合縁部と概ね整列する、請求項４３に記載のブランク。
【請求項４５】
前記係止タブは、前記端縁部から外向きに延在し、前記係止タブは、前記端縁部によって前記端部フラップから離間し、前記端縁部は、前記ブランクから前記構造体を形成した時に前記隅部において延びる、請求項３４に記載のブランク。
【請求項４６】
構造体の形成方法であって、
複数のパネルと、前記構造体を別個の構造体と少なくとも部分的に相互係止するための係止構造部とを備えるブランクを得るステップであって、前記複数のパネルは、側部パネル、端部パネル及び端部フラップを含み、該端部フラップは、折り線に沿って該側部パネルに折り曲げ可能に接続され、前記係止構造部は、少なくとも係止タブ及び係合開口部を含み、前記係止タブは、前記側部パネルから延在し、前記側部パネルの端縁部は、前記端部フラップから前記係止タブまで延在し、前記係合開口部は、前記側部パネル及び前記端部フラップ内で広がると共に、前記折り線を遮る、ブランクを得るステップと、
前記複数のパネルのうちの前記パネルを、前記構造体の内部を少なくとも部分的に取り巻いて広がるように位置決めするステップと、
を含み、
前記パネルを位置決めするステップは、前記構造体の隅部を形成するステップと、前記端部パネル及び前記端部フラップを少なくとも部分的に重なり合わせるステップとを含み、前記係止タブは、前記構造体の前記隅部において前記係合開口部に近接することを特徴とする方法。
【請求項４７】
前記パネルを位置決めするステップは、前記端部フラップを前記側部パネルに対して折り曲げて、前記構造体の前記隅部を少なくとも部分的に画定するステップを含む、請求項４６に記載の方法。
【請求項４８】
前記隅部は第１の隅部であり、前記側部パネルは第１の側部パネルであり、前記端部フラップは第１の端部フラップであり、前記複数のパネルは、第２の側部パネルをさらに含み、前記第２の側部パネルには、第２の端部フラップが折り曲げ可能に接続され、前記パネルを位置決めするステップは、前記第２の端部フラップを前記第２の側部パネルに対して折り曲げて、前記構造体の第２の隅部を少なくとも部分的に画定するステップと、前記端部パネル及び前記第２の端部フラップを互いに少なくとも部分的に重なり合うように位置決めするステップとを含む、請求項４７に記載の方法。
【請求項４９】
前記係止タブは第１の係止タブであり、前記係合開口部は第１の係合開口部であり、前記係止構造部は、第２の係止タブと第２の係合開口部とをさらに含み、前記第２の係止タブは、前記構造体の前記第２の隅部において前記第２の係合開口部に近接する、請求項４８に記載の方法。
【請求項５０】
組立体の形成方法であって、
第１の構造体及び第２の構造体を得るステップを含み、
前記第１の構造体は、前記組立体のトレイを形成し、該トレイは、前記組立体の内部を少なくとも部分的に取り巻いて広がる複数のトレイパネルと、トレイ係止タブと、トレイ係合開口部とを備え、前記複数のトレイパネルは、トレイ側部パネルと、トレイ端部パネルと、少なくとも部分的にトレイ隅部を形成するトレイ端部フラップとを含み、前記トレイ係止タブは、前記トレイ隅部において前記複数のトレイパネルのうちの前記トレイ側部パネルから延在し、前記トレイ係合開口部は、前記トレイ隅部において広がり、前記トレイ端部フラップは、トレイ折り線に沿って前記トレイ側部パネルに折り曲げ可能に接続され、前記トレイ折り線は、前記トレイ隅部に沿って延在し、前記トレイ係合開口部は、前記トレイ折り線を遮り、
前記第２の構造体は、前記組立体の蓋を形成し、該蓋は、前記組立体の内部を少なくとも部分的に取り巻いて広がる複数の蓋パネルと、蓋係止タブと、蓋係合開口部とを備え、前記複数の蓋パネルは、蓋側部パネルと、蓋端部パネルと、少なくとも部分的に蓋隅部を形成する蓋端部フラップとを含み、前記蓋係止タブは、前記蓋隅部において前記複数の蓋パネルのうちの前記蓋側部パネルから延在し、前記蓋係合開口部は、前記蓋隅部において広がり、前記蓋端部フラップは、蓋折り線に沿って前記蓋側部パネルに折り曲げ可能に接続され、前記蓋折り線は、前記蓋隅部に沿って延在し、前記蓋係合開口部は、前記蓋折り線を遮り、前記方法は、
前記蓋係止タブ及び前記トレイ係止タブの少なくとも一方を前記それぞれのトレイ係合開口部及び蓋係合開口部内に少なくとも部分的に受容されるように配置することによって、前記第１の構造体と前記第２の構造体とを少なくとも部分的に相互係止するステップをさらに含むことを特徴とする方法。
【請求項５１】
前記第１の構造体と第２の構造体とを少なくとも部分的に相互係止するステップは、前記蓋係止タブの係止縁部を前記トレイ係合開口部の係合縁部に係合させるステップを含む、請求項５０に記載の方法。
【請求項５２】
前記第１の構造体及び前記第２の構造体は、互いに概ね同一であり、前記第１の構造体及び第２の構造体を得るステップは、前記第１の構造体及び前記第２の構造体の各々を概ね同一の構造体のスタックから選択するステップを含む、請求項５０に記載の方法。
【請求項５３】
前記トレイ係止タブは、前記トレイ隅部において前記トレイ側部パネルから外向きに延在し、前記トレイ係合開口部は、前記トレイ隅部において前記トレイ端部フラップ内で広がり、前記蓋係止タブは、前記蓋隅部において前記蓋側部パネルから外向きに延在し、前記蓋係合開口部は、前記蓋隅部において前記蓋端部フラップ内で広がる、請求項５０に記載の方法。
【請求項５４】
前記トレイ端部パネル及び前記蓋端部パネルの各々は、それぞれの係合ノッチを含み、
前記トレイ端部パネル及び前記トレイ端部フラップは、前記組立体の端部において互いに少なくとも部分的に重なり合い、前記蓋端部パネル及び前記蓋端部フラップは、前記組立体の前記端部において互いに少なくとも部分的に重なり合い、前記トレイ端部パネル及び前記蓋端部パネルの前記係合ノッチは、前記それぞれのトレイ端部フラップ及び蓋端部フラップにおいて前記それぞれのトレイ係合開口部及び蓋係合開口部に隣接して配置され、
前記第１の構造体と第２の構造体とを少なくとも部分的に相互係止するステップは、前記蓋係止タブを前記トレイ端部パネルの前記トレイ係合開口部及び前記係合ノッチの少なくとも一方に係合させるステップをさらに含む、請求項５３に記載の方法。
【請求項５５】
前記トレイ係合開口部は、係合縁部を含み、前記トレイ端部パネルの前記係合ノッチは、前記トレイ係合開口部の前記係合縁部と少なくとも部分的に整列し、前記蓋係止タブをトレイ端部パネルのトレイ係合開口部及び係合ノッチの少なくとも一方に係合させるステップは、前記蓋係止タブを前記トレイ係合開口部の前記係合縁部及び前記トレイ端部パネルの前記係合ノッチの各々に係合させるステップをさらに含む、請求項５４に記載の方法。
【請求項５６】
前記トレイ隅部は第１のトレイ隅部であり、前記トレイ係止タブは第１のトレイ係止タブであり、前記トレイ係合開口部は第１のトレイ係合開口部であり、前記蓋隅部は第１の蓋隅部であり、前記蓋係止タブは第１の蓋係止タブであり、前記蓋係合開口部は第１の蓋係合開口部であり、
前記複数のトレイパネルは、少なくとも部分的に第２のトレイ隅部を形成し、前記トレイは、第２のトレイ係止タブと第２のトレイ係合開口部とをさらに備え、該第２のトレイ係止タブ及び該第２のトレイ係合開口部は、前記第２のトレイ隅部において延び、
前記複数の蓋パネルは、少なくとも部分的に第２の蓋隅部を形成し、前記蓋は、第２の蓋係止タブと第２の蓋係合開口部とをさらに備え、該第２の蓋係止タブ及び該第２の蓋係合開口部は、前記第２の蓋隅部において延び、
前記第１の構造体と第２の構造体とを少なくとも部分的に相互係止するステップは、前記第２の蓋係止タブ及び前記第２のトレイ係止タブの少なくとも一方を前記それぞれの第２のトレイ係合開口部及び第２の蓋係合開口部内に少なくとも部分的に受容されるように配置するステップをさらに含む、請求項５０に記載の方法。
【発明の詳細な説明】
【技術分野】
【０００１】
〔関連出願との相互参照〕
本出願は、２０１５年２月２７日に出願された米国仮特許出願第６２／１７６，７９５号の利益を主張するものである。
〔引用による組み入れ〕
【０００２】
２０１５年２月２７日に出願された米国仮特許出願第６２／１７６，７９５号の開示は、その全体が本明細書に示されているかのように全ての目的で引用より本明細書に組み入れられる。
【０００３】
本開示は、典型的には、食品及び／又はその他のタイプの物品を保持するためのカートン、トレイ及び／又はその他の構造体に関する。具体的には、本開示は、相互係止構造部を含むことができる構造体に関する。
【発明の概要】
【０００４】
典型的には、本開示の１つの態様は、一般に少なくとも１つの物品を保持するための構造体に関する。この構造体は、構造体の内部を少なくとも部分的に取り巻いて広がる複数のパネルを含む。複数のパネルは、構造体の隅部を少なくとも部分的に形成することができる。構造体は、別個の構造体と少なくとも部分的に相互係止するための係止構造部を含む。係止構造部は、少なくとも係止タブと係合開口部とを含むことができ、係止タブは、構造体の隅部において係合開口部に近接することができる。
【０００５】
本開示は、別の態様において、一般に少なくとも１つの物品を保持するためのパッケージに関する。パッケージは、パッケージのトレイを形成する第１の構造体を含むことができる。トレイは、パッケージの内部を少なくとも部分的に取り巻いて広がる複数のトレイパネルと、トレイ係止タブと、トレイ係合開口部とを含むことができる。複数のトレイパネルは、少なくとも部分的にトレイ隅部を形成することができ、トレイ係止タブは、トレイ隅部において複数のトレイパネルのうちの１つのトレイパネルから延在することができ、トレイ係合開口部は、トレイ隅部において広がることができる。第２の構造体は、パッケージの蓋を形成することができる。この蓋は、パッケージの内部を少なくとも部分的に取り巻いて広がる複数の蓋パネルと、蓋係止タブと、蓋係合開口部とを含むことができる。複数の蓋パネルは、少なくとも部分的に蓋隅部を形成することができ、蓋係止タブは、蓋隅部において複数の蓋パネルのうちの１つの蓋パネルから延在することができ、蓋係合開口部は、蓋隅部において広がることができる。蓋係止タブ及び蓋係合開口部は、それぞれのトレイ係合開口部及びトレイ係止タブに選択的に係合して、トレイと蓋とを少なくとも部分的に相互係止することができる。
【０００６】
本開示は、別の態様において、一般に少なくとも１つの物品を保持するための構造体を形成するためのブランクに関する。ブランクは、ブランクから形成される構造体の内部を少なくとも部分的に取り巻いて配置されて、ブランクから形成される構造体の隅部を少なくとも部分的に形成する複数のパネルを含むことができる。ブランクは、ブランクから形成される構造体を別個の構造体と少なくとも部分的に相互係止するための係止構造部をさらに含むことができる。係止構造部は、少なくとも係止タブと係合開口部とを含むことができる。係止タブは、ブランクから構造体を形成した時に、隅部において係合開口部に近接することができる。
【０００７】
本開示は、別の態様において、一般に構造体を形成するための方法に関する。この方法は、複数のパネルと係止構造部とを含むブランクを得るステップを含むことができる。係止構造部は、少なくとも係止タブと係合開口部とを含むことができる。この方法は、複数のパネルのうちのパネルを、構造体の内部を少なくとも部分的に取り巻いて広がるように位置決めするステップを含むことができる。パネルを位置決めするステップは、構造体の隅部を形成するステップを含むことができ、係止タブは、構造体の隅部において係合開口部に近接する。
【０００８】
本開示は、別の態様において、一般に組立体を形成する方法に関する。この方法は、第１の構造体と第２の構造体とを得るステップを含むことができる。第１の構造体は、パッケージのトレイを形成することができる。このトレイは、パッケージの内部を少なくとも部分的に取り巻いて広がる複数のトレイパネルと、トレイ係止タブと、トレイ係合開口部とを含むことができる。複数のトレイパネルは、少なくとも部分的にトレイ隅部を形成することができ、トレイ係止タブは、トレイ隅部において複数のトレイパネルのうちの１つのトレイパネルから延在することができ、トレイ係合開口部は、トレイ隅部において広がることができる。第２の構造体は、パッケージの蓋を形成することができる。この蓋は、パッケージの内部を少なくとも部分的に取り巻いて広がる複数の蓋パネルと、蓋係止タブと、蓋係合開口部とを含むことができる。複数の蓋パネルは、少なくとも部分的に蓋隅部を形成することができ、蓋係止タブは、蓋隅部において複数の蓋パネルのうちの１つの蓋パネルから延在することができ、蓋係合開口部は、蓋隅部において広がることができる。この方法はさらに、蓋係止タブ及びトレイ係止タブの少なくとも一方をそれぞれのトレイ係合開口部及び蓋係合開口部内に少なくとも部分的に受容されるように配置することによって、第１の構造体と第２の構造体とを少なくとも部分的に相互係止するステップを含むことができる。
【０００９】
当業者であれば、以下に示す添付図面を参照しながら以下の実施形態の詳細な説明を読むことにより、上述した長所、並びに様々なさらなる実施形態のその他の長所及び利点を理解するであろう。
【００１０】
慣例に従い、以下で説明する図面の様々な特徴は、必ずしも縮尺通りではない。図面における様々な特徴及び要素の寸法は、本開示の実施形態をより明確に示すために拡大又は縮小していることがある。
【図面の簡単な説明】
【００１１】
【図１】本開示の例示的な実施形態による、構造体を形成するために使用されるブランクの外観平面図である。
【図２】本開示の例示的な実施形態による、組み立てた構造体の上面斜視図である。
【図３】図２の構造体の底面斜視図である。
【図４】図２の構造体の内部の斜視図である。
【図５】図２の構造体の端部の内部斜視図である。
【図６】本開示の例示的な実施形態による、図２の構造体の２つを組み合わせて組立体を形成することを示す斜視図である。
【図７】本開示の例示的な実施形態による組立体の上面斜視図である。
【図８】図７の組立体の底面斜視図である。
【図９】図７の組立体の端部の斜視図である。
【発明を実施するための形態】
【００１２】
図面全体を通じて、対応する部分は対応する参照符号によって示す。
【００１３】
本開示のパッケージ又は組立体は、１又は２以上の製品（例えば、食品）、或いは貯蔵、輸送、冷却、冷凍、加熱及び／又は（例えば、電子レンジでの）調理が可能ないずれかの好適なタイプの製品などの他の物品を収容するのに役立つことができる。いくつかの好適な製品としては、サンドイッチ、ホットドッグ、フライドポテト、ナチョス、果物、野菜、ポップコーン、肉の切り身、又は他のいずれかの好適な食品又はその他の物品を挙げることができる。さらに、本開示のパッケージは、電子レンジなどの加熱装置又は調理装置を用いた食品の加熱、調理、焦げ目付け、焼き上げなどに使用することができる。このパッケージは、本明細書に示す食品以外の食品（又は、非食品）を含むこともできると理解されたい。さらに、このパッケージに収容される製品は、一般に矩形、三角形、円形、正方形、不規則形状又はその他の形状とすることができる。本明細書における「内側」、「内部」、「外側」、「外部」、「下部」、「底部」、「上部」及び「頂部」という用語は、完全に組み立てられた真っ直ぐなパッケージに関して特定される配向を示す。
【００１４】
図１は、本開示の例示的な実施形態の構造体１０５（図２〜図５）を形成するために使用される、全体的に１０３で示すブランクの平面図である。１つの実施形態では、互いに同一、実質的に同一、概ね同一又は同様の２つの構造体１０５がそれぞれ、パッケージ１７８の蓋１０５ａ及びトレイ１０５ｂを形成することができ、これらを相互係止して組立体１８０（図６〜図９）を形成することができる。構造体１０５は、組立体１８０において２つの構造体を少なくとも部分的に相互係止できるように、各隅部１０９に係止構造部１０７を含むことができる。図示の実施形態では、ブランク１０３及び構造体１０５が、内面１０１（図２及び図４）及び外面１０２（図１〜図３）を有することができる。構造体１０５は、（例えば、クイックサービスレストラン及び／又はテイクアウトレストランにおける）食品の提供中、調理中、冷蔵中、冷凍中などにおいて、フランスパンのピザ、サンドイッチ、ホットドッグ、ターンオーバ、ブリトー、肉、フライドポテトなどの食品及び／又は他のいずれかの食品を保持し、及び／又は支持し、及び／又は覆うために使用することができる。１つの実施形態では、構造体１０５の少なくとも一部が、調理、加熱、焦げ目付け及び／又は遮蔽に使用する、構造体１０５に取り付けられる要素（図示せず）（例えば、限定するわけではないが、サセプタなどのマイクロ波エネルギー相互作用要素）を有することができる。或いは、マイクロ波エネルギー相互作用要素は、構造体１０５から省くこともできる。別の実施形態では、構造体１０５が、非食品又は物品を保持し、及び／又は支持し、及び／又は覆うこともできる。
【００１５】
ブランク１０３は、縦軸Ｌ１及び横軸Ｌ２を有する。ブランク１０３は、第１の縦方向折り線１１４において第１の側部パネル１１２に折り曲げ可能に接続された中心パネル１１０を含む。中心パネル１１０には、第２の縦方向折り線１１８に沿って第２の側部パネル１１６が折り曲げ可能に接続される。図示の実施形態では、中心パネル１１０の中央部が若干外側に膨らむように、縦方向折り線１１４、１１８がわずかに湾曲する。或いは、縦方向折り線１１４、１１８は、本開示から逸脱することなく真っ直ぐとすることも、又は別様に湾曲することもできる。中心パネル１１０には、中心パネル１１０の一方の縦方向端部において第１の横方向折り線１２２に沿って第１の端部パネル１２０が折り曲げ可能に接続され、中心パネル１１０の他方の縦方向端部において第２の横方向折り線１２６に沿って第２の端部パネル１２４が折り曲げ可能に接続される。
【００１６】
図示の実施形態では、ブランク１０３が、第１の側部パネル１１２のそれぞれの端部においてそれぞれの折り線１３４、１３６に沿って折り曲げ可能に接続された端部フラップ１３０、１３２を含む。第２の側部パネル１１６のそれぞれの端部では、それぞれの折り線１４２、１４４に沿って端部フラップ１３８、１４０がそれぞれ折り曲げ可能に接続される。１つの実施形態では、各端部フラップ１３０、１３８、１３２、１４０が、それぞれの切り込み線１４６に沿ってそれぞれの端部パネル１２０、１２４から少なくとも部分的に分離可能である。ブランク１０３は、本開示から逸脱することなく、別様に成形、配置、位置決め及び／又は構成することもできる。例えば、端部フラップ１３０、１３２、１３８、１４０は、それぞれの端部パネル１２０、１２４に折り曲げ可能に接続することもできる。或いは、本開示から逸脱することなく、ブランク１０３から端部フラップ１３０、１３２、１３８、１４０を省略することもできる。
【００１７】
図１に示すように、係止構造部１０７は、各側部パネル１１２、１１６の各端部に配置された係止用突起又は係止タブ１４８と、各端部フラップ１３０、１３２、１３８、１４０においてそれぞれの側部パネル１１２、１１６内に広がる開口部又は係合開口部１５０とを含むことができる。係止構造部１０７は、各端部パネル１２０、１２４の各側部に係合ノッチ(notch)１５６を含むこともできる。係合ノッチ１５６は、各切り込み線１４６によって形成することができる。各係止タブ１４８は、それぞれの係止縁部１５２を含むことができ、各係合開口部１５０は、それぞれの係合縁部１５４を含むことができる。従って、２つの構造体１０５を相互係止した関係に組み立てると（例えば図７〜図９）、一方の構造体１０５の係止タブ１４８が、他方の構造体１０５のそれぞれの係合開口部１５０内に少なくとも部分的に受容されて、第１の構造体の係止縁部１５２が第２の構造体のそれぞれの係合縁部１５４及び／又は係合ノッチ１５６に係合できるようになる。係止構造部１０７は、いずれも本開示から逸脱することなく、省略又は別様に成形、配置、位置決め及び／又は構成することができる。例えば、係合開口部１５０は、それぞれの折り線１３４、１３６、１４２、１４４に隣接するそれぞれの端部フラップ１３０、１３２、１３８、１４０において、折り線を遮って側部パネル１１２、１１６内に延びないように配置することもできる。別の例では、係合ノッチ１５６を、それぞれの切り込み線１４６及び／又はそれぞれの端部フラップ１３０、１３２、１３８、１４０から間隔を空けた端部パネル１２０、１２４の縁部に形成することもできる。
【００１８】
１つの許容できる例に従って図２〜図５に図示し後述するように、構造体１０５は、最初にそれぞれの縦方向折り線１１４、１１８に沿って側部パネル１１２、１１６を上向きに折り曲げ、それぞれの横方向折り線１２２、１２６に沿って端部パネル１２０、１２４を折り曲げることによってブランク１０３から形成される。各端部フラップ１３０、１３８は、それぞれの横方向折り線１３４、１４２に沿って第１の端部パネル１２０（図４及び図５）の内面と対面接触するように折り曲げ、第１の端部パネル１２０に少なくとも部分的に接着し、及び／又は別様に固定することができる。また、各端部フラップ１３２、１４０は、それぞれの横方向折り線１３６、１４４に沿って第２の端部パネル１２４（図２及び図４）の内面と対面接触するように折り曲げ、第２の端部パネル１２４に少なくとも部分的に接着し、及び／又は別様に固定することができる。従って、第１の端部パネル１２０と端部フラップ１３０、１３２は、協働してトレイ１０５の第１の閉鎖端部１６４を形成し、第２の端部パネル１２４と端部フラップ１３８、１４０は、協働してトレイ１０５の第２の閉鎖端部１６６を形成する。また、図２〜図５に示すように、各側部パネル１１２、１１６とそれぞれの閉鎖端部１６４、１６６との間のそれぞれの接合部には構造体１０５の４つの隅部１０９が形成され、各隅部１０９に沿って折り線１３４、１３６、１４２、１４４が延在するようになる。図示の実施形態では、各隅部１０９に係止構造部１０７が配置される（図２〜図５）。図２及び図４に示すように、中心パネル１１０、側部パネル１１２、１１６、及び閉鎖端部１６４、１６６は、トレイ１０５の内部１７０を形成する。
【００１９】
図示の実施形態では、端部パネル１２０、１２４及び端部フラップ１３０、１３２、１３８、１３８を互いに相対的に折り曲げると、端部パネル１２０が切り込み線１４６において端部フラップ１３０、１３８から分離して、各端部パネル１２０、１２４に沿って２つの隅部縁部１５８を形成する。各隅部縁部１５８は、構造体１０５の各隅部１０９に配置され、係合ノッチ１５６（図３）のうちのそれぞれ１つを定める。図２〜図５に示すように、端部フラップ１３０、１３８、１３２、１３４は、それぞれの端部パネル１２０、１２４に接着されることにより、係合開口部１５０がそれぞれの端部パネル１２０、１２４の隅部縁部１５８を部分的に越えて延びて、別の構造体１０５の係止タブ１４８を受け取るための隙間を設けるようになる。１つの実施形態では、図３に示すように、各隅部１０９において係合ノッチ１５６をそれぞれの係合縁部１５４と概ね位置合わせすることにより、別の構造体の係止タブ１４８の係止縁部１５２がそれぞれの隅部１０９における係合縁部１５４及び／又は係合ノッチ１５６に係合できるようになる。或いは、各隅部において係合ノッチ１５６を係合開口部１５０に近接させることも、又は係合ノッチ１５６を省略することもできる。
【００２０】
本開示の範囲から逸脱することなく、別の組み立てステップ、装着ステップ及び閉鎖ステップを使用することもできる。例えば、端部フラップ１３０、１３８、１３２、１４０を、それぞれの端部パネル１２０、１２４の外面と対面接触するように折り曲げることもできる。また、構造体１０５は、ブランクを成形ツール内でプレス成形することによって形成することも、或いは他の方法によって形成することもできる。
【００２１】
図５に、１つの実施形態による、構造体の内部から見た構造体１０５の閉鎖端部１６４及び２つの隅部１０９を示す。対向する隅部１０９及び閉鎖端部１６６も、同様又は同一に構成される。図５に示すように、各隅部１０９には、それぞれの係合開口部１５０に近接して係止タブ１４８が配置される。図示の実施形態では、係止タブ１４８が、それぞれの側部パネル１１２、１１６のそれぞれの端縁部１６０から、それぞれの側部パネル１１２、１１６のそれぞれの頂縁部１６２に沿って又は隣接して外向きに延在する。従って、それぞれの隅部１０９では、それぞれの端縁部１６０から係止縁部１５２が延在することができる。或いは、本開示から逸脱することなく、隅部１０９及び／又は係止構造部１０７のいずれかを別様に成形、配置、位置決め及び／又は構成することもできる。
【００２２】
図６〜図９に示すように、１つの実施形態では構造体のスタック（図示せず）から選択できる２つの構造体１０５がパッケージ１７８を形成できるとともに、相互係止した関係に組み立てて組立体１８０を形成することができる。図６〜図９に示す構造体は概ね同一であるが、各構造体１０５は、それぞれのブランク１０３から形成され、頂部構造又は蓋及びその特徴部については、参照番号に「ａ」を添えて示し（例えば、蓋１０５ａ）、底部構造又はトレイ及びその特徴部については、参照番号に「ｂ」を添えて示す（例えば、トレイ１０５ｂ）。図６に示すように、蓋１０５ａは、トレイ内部１７０ａ、１７０ｂが互いに向き合った状態でトレイ１０５ｂにわたって配置することができる。図７に示すように、蓋側部パネル１１２ａ、１１６ａがトレイ側部パネル１１２ｂ、１１６ｂの概ね内側に存在して、蓋隅部１０９ａがそれぞれのトレイ隅部１０９ｂと概ね整列するように、蓋１０５ａをトレイ１０５ｂに向かって動かすことができる。
【００２３】
図示の実施形態では、少なくとも図８及び図９に示すように、蓋係止タブ１４８ａをそれぞれのトレイ係合開口部１５０ｂに挿入することにより、蓋の各係止縁部１５２ａをそれぞれのトレイの係合縁部１５４ｂ及び／又はそれぞれのトレイの係合ノッチ１５６ｂに係合させて、蓋１０５ａとトレイ１０５ｂとを少なくとも部分的に相互係止し、蓋１０５ａを組立体の形でトレイ１０５ｂと共に保持するのを支援する。１つの実施形態では、蓋端部１６４ａ、１６６ａの一方における蓋係止構造部１０７ａがトレイ端部１６４ｂ、１６６ｂの一方におけるトレイ係止構造部１０７ｂと相互係止し、相対する蓋端部が相対するトレイ端部に下降して係合するように蓋１０５ａを枢動させることができる。例えば、図６に示すように、蓋端部１６６ａに隣接する蓋隅部１０９ａにおける蓋係止構造部１０７ａは、トレイ端部１６６ｂに隣接するトレイ隅部１０９ｂにおけるトレイ係止構造部１０７ｂと相互係止することができる。蓋端部１６４ａがトレイ端部１６４ｂに向かって移動するように蓋１０５ａを枢動させると、蓋端部１６４ａに隣接する蓋隅部１０９ａにおける蓋係止構造部１０７ａが、トレイ端部１６４ｂに隣接するトレイ隅部１０９ｂにおけるトレイ係止構造部１０７ｂに相互係止することができる。図示の実施形態では、図７及び図８に示すように、蓋端部１６４ａ及びトレイ端部１６４ｂが、パッケージ１７８及び組立体１８０の第１の端部１８２を形成し、蓋端部１６６ａ及びトレイ端部１６６ｂが、パッケージ１７８及び組立体１８０の第２の端部１８４を形成する。別の実施形態では、蓋端部１６４ａ、１６６ａをそれぞれのトレイ端部１６６ｂ、１６４ｂと位置合わせすることができる。
【００２４】
図７〜図９には、トレイ１０５ｂ及び蓋１０５ａの組立体１８０を示す。蓋１０５ａは、蓋係止タブ１４８ａをトレイ係合開口部１５０ｂから解放して蓋１０５ａをトレイ１０５ｂから引き離すことによって、トレイ１０５ｂから取り外すことができる。１つの実施形態では、蓋側部パネル１１２ａ、１１６ａの端部における蓋係止タブ１４８ａがトレイ側部パネル１１２ｂ、１１６ｂから離れてトレイ内部１７０ｂに向かって移動するように蓋側部パネル１１２ａ、１１６ａをつまむことにより、蓋係止タブ１４８ａをトレイ係合開口部１５０ｂから解放することができる。本開示から逸脱することなく、構造体１０５を別様に組み立てることも、及び／又は組立体１８０を別様に形成及び／又は分解することもできる。
【００２５】
別の実施形態では、本開示から逸脱することなく、蓋側部パネル１１２ａ、１１６ａをトレイ側部パネル１１２ｂ、１１６ｂの概ね外側に存在させて、トレイ係止タブ１４８ｂをそれぞれの蓋係合開口部１５０ａ内に受容させることができる。１つの実施形態では、この別の構成において蓋１０５ａをトレイ１０５ｂから解放するために、トレイ側部パネル１１２ｂ、１１６ｂをつまんで、トレイ係止タブ１４８ｂを蓋側部パネル１１２ａから離して蓋の内部１７０に向けて移動させ、トレイ係止タブ１４８ｂを蓋係合開口部１５０ａから解放することができる。トレイ１０５ｂ及び／又は蓋部１０５ａは、本開示から逸脱することなく別様に構成、成形、位置決め及び／又は配置することもできる。
【００２６】
図示の実施形態では、構造体１０５ａ、１０５ｂが同一、実質的に同一又はほぼ同一であるため、本明細書及び特許請求の範囲では、一般に「蓋」及び「トレイ」という用語は入れ替え可能であり、これらの構造体及びその特徴部を区別して明確にする目的でのみ使用する。換言すれば、組立体１８０は、構造体１０５ａが組立体の底部の「トレイ」を形成し、構造体１０５ｂが組立体の頂部の「蓋」を形成するように反転させることもできる。また、例示的な実施形態において図示し説明したように蓋係止タブ１４８ａをトレイ係合開口部１５０ｂに係合させることは、「トレイ」係止タブ１４８ａを「蓋」係合開口部１５０ｂに係合させることと基本的に同等である。
【００２７】
図示の実施形態では、構造体１０５が、少なくともその各隅部１０９（例えば、側部パネル１１２、１１６の各端部）に係止タブ１４８及び係合開口部１５０の両方を有するという理由で、用途が広く、便利であり、効率的である。構造体１０５の各隅部１０９は、（例えば、構造体１０５のそれぞれの係合開口部１５０内に別個の構造体からの係止タブを受容する）雌係止構造部、又は（例えば、別個の構造体のそれぞれの係合開口部内に係止タブ１４８を受容する）雄係止構造部として機能することができる。従って、テイクアウト用の食品を提供する際には、例えば食品を（例えば、図示していない入れ子状の構造体のスタックから取り出された）第１の構造体１０５内に配置し、（例えば、第１の構造体と同じスタックから取り出すことができる）第２の構造体１０５を第１の構造体と相互係止させて上述したような組立体１８０を形成することができる。１つの実施形態では、蓋及びトレイの供給に、構造体１０５のスタックが１つあればよい。蓋がトレイと異なる別のパッケージでは、蓋とトレイが別個のスタック内に配置されており、貴重な空間を占有してしまう可能性がある。一例として、常連客がクイックサービスレストランで食事を行う時のような蓋が不要な状況では、１つの構造体１０５をトレイとして使用して蓋を使用せずに食品を提供することができる。対照的に、トレイとは異なる蓋を含む、又は蓋がトレイに取り付けられた（例えば、クラムシェル型の容器）異なるスタイルの容器では、不必要な蓋が無駄な材料になり、余計な空間を占有する。従って、トレイに蓋が必要な場合もあればトレイに蓋が必要でない場合もある状況では、トレイとして提供することも、或いは別の構造体１０５と協働して蓋として提供することもできる構造体１０５の方が便利かつ効率的である。
【００２８】
ブランク１０３及び／又は構造体１０５及び／又は組立体１８０は、本開示から逸脱することなく別様に成形、配置、位置決め及び／又は構成することもできる。上述したブランク及び構造体は、一例として挙げたものである。例えば、全体的な構造体及び／又は係止構造部の形状は、あらゆる好適な形状とすることができる。図に含めた上述した形状は一例として挙げたものであり、構造体１０５は、本開示から逸脱することなくあらゆる好適な数の隅部１０９及び／又は係止構造部１０７を有することができる。
【００２９】
一般に、ブランクは、通常の紙よりも重くて硬質な厚みを有する板紙で構成することができる。ブランクは、段ボール紙などの他の材料、又は少なくとも概ね上述したようにカートンを機能させることができるのに適した特性を有する他のいずれかの材料で構成することもできる。ブランクは、例えばクレーコーティングすることができる。この時、クレーコーティング上に製品、広告及びその他の情報又は画像を印刷することもできる。その後、ブランク上に印刷された情報を保護するようにブランクをワニスでコーティングすることができる。ブランクは、その片面又は両面に、例えば防湿層をコーティングすることもできる。ブランクは、選択されたパネル又はパネル区分に１又は２以上のシート状材料を積層又はコーティングすることもできる。
【００３０】
例示的な実施形態によれば、折り線は、これに沿った折り曲げを容易にする、必ずしも真っ直ぐではないがあらゆる実質的に直線状の脆弱部の形を取ることができる。具体的に言えば、本開示の範囲を狭める意図はないが、折り線としては、所望の脆弱線に沿って材料に破砕部分又は凹部を形成する、尖っていない折り線付けナイフなどで形成された線などの切り込み線と、所望の脆弱線に沿って材料内に部分的に広がる切り込み線、及び／又は所望の脆弱線に沿って材料内に部分的に延在する及び／又は材料を完全に貫通する一連の切り込み線と、これらの特徴の様々な組み合わせとが挙げられる。切断を使用して折り線を形成する状況では、通常、理性的なユーザーに折り線を切り目として誤認させてしまうように切断が過度にならないようにする。
【００３１】
上記の実施形態は、カートンの実施形態の組み立て中に接着剤によって互いに接着される１又は２以上のパネルを有するものとして説明することができる。「接着剤」という用語は、カートンパネルを適所に固定するために一般的に使用されるあらゆる種類の接着剤を含むように意図される。
【００３２】
本開示の上記の説明では、様々な例示的な実施形態を図示し説明した。これらの例示的な実施形態には、本開示の趣旨及び範囲から逸脱することなく様々な追加、修正、変更などを行うことができる。上記の説明に含まれる、又は添付図面に示される全ての事項は、限定ではなく例示として解釈すべきである。また、本開示では、その選択された実施形態のみを図示し説明したが、本開示は、他の様々な組み合わせ、修正及び環境で使用することもでき、本明細書に示す上記の教示と同等の発明概念の範囲内で、及び／又は関連技術のスキル又は知識内で変更又は修正することもできる。さらに、各実施形態の特定の特徴及び特性は選択的に入れ替えることも、本開示の他の図示した実施形態及び図示していない実施形態に適用することもできる。
【図１】
0006743037.tif 000002
【図２】
0006743037.tif 000003
【図３】
0006743037.tif 000004
【図４】
0006743037.tif 000005
【図５】
0006743037.tif 000006
【図６】
0006743037.tif 000007
【図７】
0006743037.tif 000008
【図８】
0006743037.tif 000009
【図９】
0006743037.tif 000010